(57)【要約】  測定装置は、測定対象者の生体信号を測定する生体センサと、前記測定対象者の姿勢に関する姿勢情報を取得し、取得した前記姿勢情報に基づいて、前記生体センサの測定データの精度を変化させる処理部とを含む。
2017145363.tif 000002
【特許請求の範囲】
【請求項１】
測定対象者の生体信号を測定する生体センサと、
前記測定対象者の姿勢に関する姿勢情報を取得し、取得した前記姿勢情報に基づいて、前記生体センサの測定データの精度を変化させる処理部とを含む、測定装置。
【請求項２】
前記処理部は、前記測定対象者の姿勢が安静な姿勢である場合に、前記測定対象者の姿勢が安静な姿勢でない場合に比べて、前記生体センサの測定データの精度を高くする、請求項１に記載の測定装置。
【請求項３】
前記測定データの精度を変化させることは、前記生体センサによる測定値の分解能及びサンプリング周波数のうちの少なくともいずれか一方を変化させることを含む、請求項１に記載の測定装置。
【請求項４】
前記処理部は、第１時間帯において取得した前記姿勢情報が所定基準を満たす場合には、前記第１時間帯において取得した前記姿勢情報が前記所定基準を満たさない場合に比べて、前記第１時間帯における前記生体センサによる測定値の分解能及びサンプリング周波数のうちの少なくともいずれか一方を高くする、請求項３に記載の測定装置。
【請求項５】
前記処理部は、前記第１時間帯において取得した前記姿勢情報が前記所定基準を満たさない場合は、前記生体センサによる測定を禁止する、請求項４に記載の測定装置。
【請求項６】
過去の第１時間帯における前記測定対象者の姿勢に関する学習情報を記憶する学習情報記憶部を更に含み、
前記処理部は、今回の前記第１時間帯において取得した前記姿勢情報と、前記学習情報とに基づいて、今回の前記第１時間帯における前記測定データの精度を変化させる、請求項１に記載の測定装置。
【請求項７】
前記学習情報は、過去の前記第１時間帯に係る前記姿勢情報が所定基準を満たしたか否かを表す情報を含む、請求項６に記載の測定装置。
【請求項８】
前記学習情報は、過去の前記第１時間帯に係る前記姿勢情報が所定基準を満たした確率を表す、請求項６に記載の測定装置。
【請求項９】
前記処理部は、前記確率が閾値以上である場合に、前記確率が前記閾値未満である場合に比べて、今回の前記第１時間帯における前記生体センサによる測定値の分解能及びサンプリング周波数のうちの少なくともいずれか一方を高くする、請求項８に記載の測定装置。
【請求項１０】
前記処理部は、前記確率が閾値未満である場合、前記生体センサによる測定を禁止する、請求項９に記載の測定装置。
【請求項１１】
前記処理部は、前記確率が閾値以上であり且つ今回の前記第１時間帯において取得した前記姿勢情報が前記所定基準を満たす場合には、そうでない場合に比べて、今回の前記第１時間帯における前記生体センサによる測定値の分解能及びサンプリング周波数のうちの少なくともいずれか一方を高くする、請求項８に記載の測定装置。
【請求項１２】
前記第１時間帯は、前記測定対象者により指定される時間帯である、請求項４〜１１のうちのいずれか１項に記載の測定装置。
【請求項１３】
前記処理部は、今回の前記第１時間帯において取得した前記姿勢情報が前記所定基準を満たすか否かの判定結果に基づいて、前記学習情報を更新する、請求項７〜１１のうちのいずれか１項に記載の測定装置。
【請求項１４】
前記生体センサのアナログ信号をデジタル信号に変換する第１アナログデジタル変換部と、
前記第１アナログデジタル変換部によりも分解能及びサンプリング周波数のうちの少なくともいずれか一方が低い態様で、前記生体センサのアナログ信号をデジタル信号に変換する第２アナログデジタル変換部とを更に含み、
前記処理部は、前記第１アナログデジタル変換部及び前記第２アナログデジタル変換部に接続され、
前記測定データの精度を変化させることは、前記第１アナログデジタル変換部又は前記第２アナログデジタル変換部を選択的に用いることを含む、請求項１に記載の測定装置。
【請求項１５】
前記生体信号は、心電図である、請求項１〜１４のうちのいずれか１項に記載の測定装置。
【請求項１６】
前記測定対象者の第１生体信号を前記生体センサで測定する第１測定モードと、前記第１生体信号に加えて、前記第１生体信号よりも振幅が小さい第２生体信号を前記生体センサで測定する第２測定モードとを含み、
前記測定データの精度を変化させることは、前記生体センサの測定モードを前記第１測定モードと前記第２測定モードの間で切り替えることを含む、請求項１に記載の測定装置。
【請求項１７】
前記第１生体信号は、前記測定対象者自身の心電図であり、前記第２生体信号は、前記測定対象者の体内の胎児の心電図である、請求項１６に記載の測定装置。
【請求項１８】
前記測定対象者の姿勢を検出する姿勢センサを更に含み、
前記処理部は、前記姿勢センサから前記姿勢情報を取得する、請求項１〜１７のうちのいずれか１項に記載の測定装置。
【請求項１９】
前記所定基準は、前記測定対象者が安静な姿勢にあるときの前記姿勢情報に基づいて設定される、請求項４、５、７、８、１１、及び１３のうちのいずれか１項に記載の測定装置。
【請求項２０】
測定対象者の姿勢に関する姿勢情報を取得し、
取得した前記姿勢情報に基づいて、前記測定対象者の生体信号を測定する生体センサの測定データの精度を変化させる、
処理をコンピューターに実行させる測定プログラム。
【発明の詳細な説明】
【技術分野】
【０００１】
本開示は、測定装置及び測定プログラムに関する。
【背景技術】
【０００２】
測定対象者の動作を加速度により検出し、固定の測定条件で生体センサから生体信号を取得し、生体情報（例えば、心電から心拍、脈波から脈拍）を算出する技術が知られている。測定対象者の動作としては、例えば、静止状態か運動状態かであり、固定の測定条件としては、例えばサンプリング周波数やデータ精度であり、生体信号としては、例えば、心電や脈波といった測定データである。また、生体情報としては、例えば、心電から得られる心拍や、脈波から得られる脈拍がある。
【先行技術文献】
【特許文献】
【０００３】
【特許文献１】特開2015-112205号公報
【特許文献２】特開2006-312010号公報
【特許文献３】国際公開第2011/024425号パンフレット
【発明の概要】
【発明が解決しようとする課題】
【０００４】
しかしながら、従来の測定装置では、測定対象者の姿勢に応じて生体センサの測定データの精度を変化させることができない。【０００５】
そこで、本開示は、測定対象者の姿勢に応じて生体センサの測定データの精度を変化させることができる測定装置及び測定プログラムの提供を目的とする。
【課題を解決するための手段】
【０００６】
１つの態様では、測定装置は、測定対象者の生体信号を測定する生体センサと、
前記測定対象者の姿勢に関する姿勢情報を取得し、取得した前記姿勢情報に基づいて、前記生体センサの測定データの精度を変化させる処理部とを含む。
【発明の効果】
【０００７】
１つの側面として、測定装置は、測定対象者の姿勢に応じて生体センサの測定データの精度を変化させることができる。
【図面の簡単な説明】
【０００８】
【図１】心電図モニタシステム１００の一例を概略的に示す図である。
【図２】実施例１による心電図測定装置１の構成例を示す図である。
【図３】学習情報の一例を示す表図である。
【図４】高精度測定モード時における心電センサ１２等における消費電力の時系列を模式的に示す図である。
【図５】低精度測定モード時における心電センサ１２等における消費電力の時系列を模式的に示す図である。
【図６】心電図モニタシステム１００における初期設定処理の一例を示すシーケンス図である。
【図７】時間帯別成功確率テーブルの説明図である。
【図８】心電図測定装置１による測定処理の一例を示すフローチャートである。
【図９】成功確率の算出方法の説明図である。
【図１０】成功確率の他の算出方法の説明図である。
【図１１】心電図モニタデバイス６の無線制御装置２１のハードウェア構成の一例を示す図である。
【図１２】実施例２による心電図測定装置１Ａの構成例を示す図である。
【図１３】高精度測定時における心電センサ１２等における消費電力の時系列を模式的に示す図である。
【図１４】低精度測定時における心電センサ１２等における消費電力の時系列を模式的に示す図である。
【図１５】実施例３による心電図測定装置１Ｂの構成例を示す図である。
【発明を実施するための形態】
【０００９】
以下、添付図面を参照しながら各実施例について詳細に説明する。
【００１０】
図１は、心電図モニタシステム１００の一例を概略的に示す図である。心電図モニタシステム１００は、心電図測定装置１（測定装置の一例）と、心電図モニタデバイス６とを含む。
【００１１】
心電図測定装置１は、ユーザＳ（測定対象者の一例）の心電図（生体信号の一例）を測定し、心電図モニタデバイス６に測定データを送信する。ユーザＳは、任意であるが、例えば妊婦であることが好適である。以下では、一例として、ユーザＳは妊婦であるものとする。以下では、ユーザＳの心電図とは、特に言及しない限り、ユーザＳの体内の胎児の心電図をも含むものとする。また、これら２つの心電図を区別するときは、用語「母の心電図」及び用語「胎児の心電図」を用いる。
【００１２】
心電図測定装置１は、例えば図１に模式的に示すように、使用時に、ユーザＳに装着される。例えば、心電図測定装置１は、ユーザSの胸部に装着される。
【００１３】
心電図モニタデバイス６は、心電図測定装置１から送信される測定データに基づいて、心電図等を表示部６１に表示する機能を有する。心電図モニタデバイス６は、ユーザＳに携帯される携帯端末（例えば、タブレット端末やスマートフォン）であってもよいし、据え置き型の端末であってもよい。心電図モニタデバイス６は、図１に模式的に示すように、心電図測定装置１との間で無線通信が可能である。但し、心電図モニタデバイス６は、心電図測定装置１との間で有線を介して通信する構成であってもよい。以下では、一例として、心電図モニタデバイス６と心電図測定装置１との間の通信は無線通信により実現されるものとする。尚、無線通信は、Bluetooth(登録商標)やWiMAX（Worldwide Interoperability for Microwave Access）などの規格に基づくものであってよい。
【００１４】
次に、心電図モニタシステム１００で使用されるのが好適な心電測定装置の各実施例について説明する。
【００１５】
［実施例１］
図２は、実施例１による心電図測定装置１の構成例を示す図である。
【００１６】
心電図測定装置１は、２つ以上の測定モードを有する。図２に示す例では、心電図測定装置１は、２つの測定モードとして、母の心電図を測定する低精度測定モードと、母の心電図に加えて、胎児の心電図を測定する高精度測定モードとを含む。低精度測定モード及び高精度測定モードの詳細は後述する。
【００１７】
心電図測定装置１は、センサモジュール１０と、無線通信モジュール２０とを含む。
【００１８】
センサモジュール１０は、心電センサ１２（生体センサの一例）と、スイッチ１４と、高性能アナログデジタル変換部１６（以下、「高性能ＡＤＣ１６」と称する）（第１アナログデジタル変換部の一例）とを含む。また、センサモジュール１０は、更に、低性能アナログデジタル変換部１８（以下、「低性能ＡＤＣ１８」と称する）（第２アナログデジタル変換部の一例）と、加速度センサ１９（姿勢センサの一例）とを含む。
【００１９】
心電センサ１２は、ユーザＳの心電図に対応する電気信号（以下、「心電信号」と称する）を生成し、心電信号をスイッチ１４に入力する。尚、心電センサ１２から出力される心電信号は、アナログ形式の信号（例えば−３．３Ｖ〜＋３．３Ｖ）である。心電センサ１２は、ユーザＳに胸部に取り付けられる電極を備える接触式のセンサであるが、非接触式のセンサであってもよい。また、心電センサ１２は、胸部以外に取り付けられるセンサであってもよい。
【００２０】
スイッチ１４は、無線通信モジュール２０から入力される切替信号（後述）に応じて第１状態と第２状態との間で切り替わる。スイッチ１４の第１状態では、心電センサ１２からの心電信号は高性能ＡＤＣ１６に入力される。これにより、高精度モードが実現される。スイッチ１４の第２状態では、心電センサ１２からの心電信号は低性能ＡＤＣ１８に入力される。これにより、低精度モードが実現される。このようにして、心電図測定装置１は、無線通信モジュール２０から入力される切替信号（後述）に応じて切り替わるスイッチ１４の状態に応じて、低精度測定モード又は高精度測定モードで動作する。
【００２１】
高性能ＡＤＣ１６は、高精度測定モードにおいて機能する。高性能ＡＤＣ１６は、心電センサ１２からスイッチ１４を介して入力されるアナログ形式の心電信号をデジタル形式の心電信号に変換する。高性能ＡＤＣ１６は、低性能ＡＤＣ１８よりも分解能及びサンプリング周波数の少なくともいずれか一方が高い。高性能ＡＤＣ１６は、胎児の心電図を測定できるような分解能及びサンプリング周波数で変換処理を行う。実施例１では、一例として、高性能ＡＤＣ１６は、低性能ＡＤＣ１８よりも分解能及びサンプリング周波数の双方が高い。これは、胎児の心電図の方が母の心電図よりも有意に微弱であり（振幅が小さく）、胎児の心電図を精度良く測定するためには、母の心電図のみを測定する場合よりも分解能及びサンプリング周波数の双方が高い方が有利であるためである。具体的には、高性能ＡＤＣ１６の分解能及びサンプリング周波数は、それぞれ、２４ｂｉｔ及び２００Ｈｚである。かかる場合には、胎児の心電図を精度良く測定できる。
【００２２】
低性能ＡＤＣ１８は、低精度測定モードにおいて機能する。低性能ＡＤＣ１８は、心電センサ１２からスイッチ１４を介して入力されるアナログ形式の心電信号をデジタル形式の心電信号に変換する。低性能ＡＤＣ１８は、母の心電図を測定できるような分解能及びサンプリング周波数で変換処理を行う。実施例１では、一例として、低性能ＡＤＣ１８の分解能及びサンプリング周波数は、それぞれ、１６ｂｉｔ及び１００Ｈｚである。
【００２３】
加速度センサ１９は、互いに直交する３軸方向の加速度に対応する電気信号（以下、「加速度信号」と称する）（姿勢情報の一例）を生成する。加速度センサ１９は、加速度信号を無線通信モジュール２０に送信する。図２に示す例では、加速度センサ１９は、シリアル通信により加速度信号を無線通信モジュール２０に送信する。
【００２４】
尚、ユーザＳが特定の安静な姿勢を取るときは、重力加速度が３軸のある方向に現れることになる。心電図測定装置１の装着方法は毎回同じであるため、重力方向に対する３軸の角度関係は変化しない。従って、加速度センサ１９が出力する加速度の各値（３軸方向の各成分）は、ユーザＳが特定の安静な姿勢になるたびにほぼ同じ値（即ち、ある許容範囲を満たす値）となる。
【００２５】
無線通信モジュール２０は、加速度センサ１９からの加速度信号と、内部に記憶された学習情報（後述）とに基づいて、心電センサ１２による測定データを生成する。そして、無線通信モジュール２０は、生成した測定データを外部（例えば、図１の心電図モニタデバイス６）に送信する。
【００２６】
無線通信モジュール２０は、無線制御装置２１と、無線送受信部２６と、スイッチ２８とを含む。
【００２７】
無線制御装置２１は、例えばコンピューターにより形成される（図１１参照）。無線制御装置２１は、無線制御部２２（処理部の一例）と、学習情報記憶部２４とを含む。
【００２８】
無線制御部２２は、加速度センサ１９からの加速度信号に基づいて、ユーザＳの姿勢を判断する。そして、無線制御部２２は、ユーザＳの姿勢に基づいて、測定モードを高精度測定モードと低精度測定モードの間で切り替える。これにより、ユーザＳの姿勢に応じて心電センサ１２の測定データの精度を変化させることができる。
【００２９】
無線制御部２２は、好ましくは、ユーザＳの姿勢に加えて、所定の時間帯（複数も可）におけるユーザＳの姿勢に関する学習情報に基づいて、該時間帯における測定モードを高精度測定モードと低精度測定モードの間で切り替える。これにより、後述するように、所定の時間帯においてユーザＳが安静な姿勢を取る可能性（確率）を判断できる。従って、例えば、ユーザＳが安静な姿勢を取る可能性が高い時間帯でのみ測定モードを高精度測定モードとすることで、後述するように、高精度測定の実行機会の増加と電力消費の効率化との両立を図ることができる。実施例１では、一例として、無線制御部２２は、ユーザＳの姿勢と学習情報とに基づいて測定モードを切り替えるものとする。
【００３０】
無線制御部２２は、加速度センサ１９からの加速度信号に基づいて、時間帯別のユーザＳの姿勢に関する学習情報を生成し、学習情報を学習情報記憶部２４に記憶する。時間帯は、１日における所定時間毎に区切られた時間帯であり、所定時間は任意である。例えば、時間帯は、分のオーダで区切られた時間帯であり、例えば１０分毎や３分毎に区切られた時間帯であってもよい。ここで、加速度センサ１９からの加速度信号は、ユーザＳの姿勢を表す。学習情報は、時間帯別の加速度信号自体のデータであってもよいし、時間帯別のユーザＳの姿勢の種類・属性のような、加速度信号から導出できるユーザＳの姿勢に関する情報であってもよい。実施例１では、一例として、図３に示すように、時間帯は、１日における１０分毎に区切られた時間帯であり、学習情報は、時間帯別の成功確率であるとする。図３には、時間帯別の成功確率の一例を表す表図が示されている。成功確率とは、所望の態様で高精度測定が成功した確率である。所望の態様は、例えば１０分内に少なくとも１回成功する態様、１０分内に複数回成功する態様、１０分内に複数回連続して成功する態様等を含んでよい。高精度測定とは、高性能ＡＤＣ１６が用いられる測定であり、具体的には、高精度測定モードによる測定である。他方、低精度測定とは、低性能ＡＤＣ１８が用いられる測定であり、具体的には、低精度測定モードによる測定である。
【００３１】
所望の態様で高精度測定が成功したか否かは、心電図モニタデバイス６からのフィードバック情報（例えば、胎児の心電図の精度等を表す情報）に基づいて判断されてもよい。或いは、ある時間帯における所望の態様で高精度測定が成功したか否かは、該時間帯における加速度センサ１９からの加速度信号に基づいて判断されてもよい。これは、加速度センサ１９からの加速度信号は、ユーザＳの姿勢を表すため、該時間帯において高精度測定の成功を妨げるようなユーザＳの姿勢があったか否かの判断材料として用いることができるためである。実施例１では、一例として、無線制御部２２は、加速度センサ１９からの加速度信号に基づいて、所望の態様で高精度測定が成功したか否かを判断する。例えば、無線制御部２２は、高精度測定による測定を開始する際に、加速度センサ１９からの加速度信号が所定基準を満たすか否かを判定する。この場合、無線制御部２２は、高精度測定による測定を開始する際の加速度センサ１９からの加速度信号が所定基準を満たした場合に、該高精度測定が成功したと判定してよい。所定基準は、ユーザＳの安静な姿勢を検出するための基準であり、ユーザＳが安静な姿勢であるときの加速度信号に基づいて設定されてよい。或いは、無線制御部２２は、高精度測定による測定を開始する際に代えて又は加えて、高精度測定による測定中、加速度センサ１９からの加速度信号が所定基準を満たしたか否かを判定してもよい。この場合、無線制御部２２は、高精度測定による測定中、加速度センサ１９からの加速度信号が所定基準を満たした場合に、該高精度測定が成功したと判定してよい。以下、このように１回の測定中の複数時点の加速度信号を用いて導出される学習情報を、特に指すときは「測定中学習情報」と称する。
【００３２】
無線制御部２２は、測定を開始する際に、測定モードを決定する。実施例１では、一例として、測定モードは、高精度測定モード及び低精度測定モードのいずれか一方である。無線制御部２２は、加速度センサ１９からの加速度信号と、学習情報記憶部２４内の学習情報とに基づいて、高精度測定モード及び低精度測定モードの間を切り替える切替信号を生成する。無線制御部２２は、生成した切替信号をスイッチ１４及びスイッチ２８に与える。例えば、無線制御部２２は、測定を開始する際（例えば測定を開始する１時点、及び／又は、測定を開始する直前の所定期間）の加速度信号が所定基準を満たすか否かを判定する。所定基準は、上述の通りであってよい。また、無線制御部２２は、学習情報に基づいて、現在時刻が属する時間帯に係る成功確率が所定閾値以上であるか否かを判定する。所定閾値は、比較的高い確率に対応し、例えば７０［％］以上の値であってもよい。所定閾値は、ユーザＳにより設定されてもよい。そして、無線制御部２２は、測定を開始する際の加速度信号が所定基準を満たし、且つ、現在時刻が属する時間帯に係る成功確率が所定閾値以上である場合は、高精度測定モードによる測定が実現されるように切替信号を生成する。他方、無線制御部２２は、測定を開始する際の加速度信号が所定基準を満たさない場合、又は、現在時刻が属する時間帯に係る成功確率が所定閾値以上でない場合は、低精度測定モードによる測定が実現されるように切替信号を生成する。尚、スイッチ１４及びスイッチ２８は、それぞれ、常態において、高精度測定モード及び低精度測定モードのいずれか一方を実現する状態（第１状態又は第２状態）を形成してもよい。この場合、切替信号は、常態でない方の状態を形成するときだけスイッチ１４及びスイッチ２８に与えられてよい。尚、図２に示す例では、２つのスイッチ１４、２８が設けられるが、２つのスイッチ１４、２８のいずれか一方が省略されてもよい。
【００３３】
無線制御部２２は、スイッチ２８を介して入力される心電センサ１２からの心電信号を取得する。高精度測定モード時には、無線制御部２２は、高性能ＡＤＣ１６で変換された心電信号を取得する。低精度測定モード時には、無線制御部２２は、低性能ＡＤＣ１８で変換された心電信号を取得する。無線制御部２２は、取得した心電信号に基づく心電センサ１２の測定データを無線送受信部２６に送信する。
【００３４】
学習情報記憶部２４は、学習情報を記憶する。学習情報記憶部２４は、例えば、書き換え可能な不揮発メモリ（例えばフラッシュメモリ、ハードディスクドライブ等）であってよい。
【００３５】
無線送受信部２６は、無線制御部２２から受信した測定データを送信するための送信信号を生成する。そして、無線送受信部２６は、生成した送信信号をアンテナ２６ａを介して心電図モニタデバイス６に送信する。
【００３６】
スイッチ２８は、無線制御部２２から入力される切替信号に応じて第１状態と第２状態との間で切り替わる。スイッチ２８の第１状態は、高精度測定モード時に形成される。スイッチ２８の第１状態では、高性能ＡＤＣ１６からの心電信号が無線制御部２２に与えられる。これにより、無線送受信部２６において送信信号を高性能ＡＤＣ１６から得られる心電信号に基づいて生成できる。スイッチ２８の第２状態は、低精度測定モード時に形成される。スイッチ２８の第２状態では、低性能ＡＤＣ１８からの心電信号が無線制御部２２に与えられる。これにより、無線送受信部２６において送信信号を低性能ＡＤＣ１８から得られる心電信号に基づいて生成できる。このようにして、無線通信モジュール２０は、心電図測定装置１の測定モードに応じて精度の異なる測定データを、心電図モニタデバイス６に送信する。
【００３７】
図４は、高精度測定モード時における心電センサ１２等における消費電力の時系列を模式的に示す図である。図５は、低精度測定モード時における心電センサ１２等における消費電力の時系列を模式的に示す図である。具体的には、図４及び図５において、上から順に、心電センサ１２、加速度センサ１９、高性能ＡＤＣ１６、無線制御部２２、無線送受信部２６、及び低性能ＡＤＣ１８の各消費電力の時系列が模式的に示されている。図４及び図５では、８０ｍｓの測定期間における測定を表す。また、図４及び図５には、心電図モニタデバイス６の表示部６１に表示される波形のイメージ図が最も下側に図示されている。尚、図４に示す無線送受信部２６の消費電力は、前回（図４に示す測定期間の直前の別の８０ｍｓの測定期間）の高精度測定の際に得られる測定データを処理する際の消費電力であり、図５に示す無線送受信部２６の消費電力は、前回の低精度測定の際に得られる測定データを処理する際の消費電力である。
【００３８】
図４に示す例では、８０ｍｓの測定期間において、高性能ＡＤＣ１６において心電信号が１６サンプル×２４ビット（３バイト）でデジタル化される。他方、図５に示す例では、８０ｍｓの測定期間において、低性能ＡＤＣ１８において心電信号が８サンプル×１６ビット（２バイト）でデジタル化される。この結果、無線制御部２２においては、高精度測定モードでは、心電信号の取得回数が１６サンプル分の１６回であり、低精度測定モードでの取得回数の２倍となり、消費電力も約２倍となる。また、無線送受信部２６において、高精度測定モードでは、高性能ＡＤＣ１６からの心電信号に基づく測定データは３パケットで送信される。これに対して、無線送受信部２６において、低精度測定モードでは、低性能ＡＤＣ１８からの心電信号に基づく測定データは１パケットで送信される。この結果、無線送受信部２６においては、高精度測定モードでは、低精度測定モードよりも送信するパケット数が多い分だけ消費電力も大きくなる。尚、図４及び図５に示す例では、心電図モニタデバイス６に送信する送信信号には、心電センサ１２の測定データの他、加速度センサ１９の測定データが含まれている。加速度センサ１９の測定データは、ヘッダと共に１パケットで送信される。
【００３９】
実施例１によれば、上述のように、ユーザＳの姿勢に応じて測定モードが高精度測定モードと低精度測定モードの間で切り替えられるので、ユーザＳの姿勢に応じて心電センサ１２の測定データの精度を変化させることができる。
【００４０】
ここで、胎児の心電図は、極小信号であるので、高精度測定モードにおいても、ユーザＳが安静な姿勢でないときなど、無線制御部２２が取得した心電信号にノイズが含まれる場合は、胎児の心電図を精度良く取得できない可能性がある。即ち、高精度測定モードにおいても、ユーザＳの姿勢によっては、胎児の心電図の高精度の測定ができない可能性がある。
【００４１】
従って、ユーザＳが安静な姿勢でないときは、消費電力が比較的高い高精度測定モードによる測定を行わず、消費電力が比較的低い低精度測定モードによる測定を行う方が、消費電力の観点から望ましい。
【００４２】
この点、実施例１によれば、上述のように、測定を開始する際の加速度信号に基づいてユーザＳの姿勢を判断するので、測定の開始時にユーザＳが安静な姿勢であるときだけ高精度測定モードによる測定を実行できる。具体的には、ユーザＳが安静な姿勢であるときに高精度測定を実現し、ユーザＳが安静な姿勢でないときに低精度測定を実現できる。これにより、ユーザＳの姿勢に応じて、心電図測定装置１の消費電力の効率化と、心電センサ１２の測定データの高精度化を図ることができる。
【００４３】
また、実施例１によれば、上述のように、時間帯別のユーザＳの姿勢に関する学習情報に基づいて、測定モードが高精度測定モードと低精度測定モードの間で切り替えられる。これにより、ユーザＳが安静な姿勢となる可能性が高い時間帯において高精度測定を試みることができる。これにより、高精度測定の実行機会の増加と電力消費の効率化との両立を図ることができる。
【００４４】
ここで、測定の開始時にユーザＳが安静な姿勢であっても、測定開始後の測定中にユーザＳが安静な姿勢でなくなる場合もあり得る。かかる場合も、胎児の心電図の高精度の測定ができない可能性があるので、消費電力が比較的高い高精度測定モードによる測定を行わず、消費電力が比較的低い低精度測定モードによる測定を行う方が、消費電力の観点から望ましい。
【００４５】
この点、上述の測定中学習情報を用いる構成では、測定中学習情報に基づいてユーザＳの安静な姿勢が高精度測定中に持続する可能性を判断するので、高精度測定開始後の高精度測定中にユーザＳが安静な姿勢でなくなる場合の不都合を低減できる。即ち、上述のように、ユーザＳの過去の同時間帯における姿勢（姿勢）に関する測定中学習情報を用いることで、同時間帯における測定中にユーザＳの安静な姿勢が持続する可能性を精度良く判断できる。この結果、高精度測定開始後の高精度測定中にユーザＳが安静な姿勢でなくなる可能性が高い場合に高精度測定が開始されてしまう事態が低減され、ユーザＳの安静な姿勢を継続される可能性が高い時間帯に限定して高精度測定を実現できる。これにより、精度の高い高精度測定の実行機会の増加と電力消費の効率化との両立を更に図ることができる。このような測定中学習情報を用いる構成は、１回の測定時間が比較的長い測定用途において好適である。
【００４６】
尚、実施例１では、高精度測定モードと低精度測定モードとを切り替えているが、他の態様も可能である。例えば、低精度測定モードによる測定に代えて、測定しないこととしてもよい（即ち測定を禁止することとしてもよい）。以下、このような変形例を「第１変形例」と称する。第１変形例は、ユーザＳが望む心電図が、母の心電図ではなく胎児の心電図である場合（又は、母の心電図及び胎児の心電図である場合）に好適である。尚、第１変形例による切替態様及び上述した実施例１による切替態様は、例えば設定の変更等によりユーザＳにより選択可能とされてもよい。尚、第１変形例において、測定の禁止は、心電センサ１２をオフすることや、高性能アナログデジタル変換部１６及び低性能アナログデジタル変換部１８をオフすることや、無線通信モジュール２０をオフすること等により実現されてよい。
【００４７】
また、実施例１において、時間帯別の成功確率は、曜日や季節等には無関係に算出されてもよいし、曜日や季節等に応じて算出されてもよい。以下、このような変形例を「第２変形例」と称する。例えば、時間帯別の成功確率は、平日における時間帯別の成功確率と、休日における時間帯別の成功確率とを別々に含んでもよい。これは、平日と休日とでユーザＳの生活パターンが異なる場合があるためである。同様の観点から、時間帯別の成功確率は、季節ごとに分けて算出されてもよいし、気候ごとに分けて算出されてもよい。
【００４８】
次に、図６乃至図１０を参照して、心電図モニタシステム１００の動作例について説明する。
【００４９】
図６は、心電図モニタシステム１００における初期設定処理の一例を示すシーケンス図である。図６には、初期設定時における心電図測定装置１、心電図モニタデバイス６、及びユーザＳ間での関係が示される。図６に示すシーケンスは、例えば、ユーザＳにより心電図測定装置１及び心電図モニタデバイス６の電源が投入され、心電図測定装置１及び心電図モニタデバイス６間の接続が確立されたときに実行されてよい。また、図６に示すシーケンスは、例えば、初期設定完了フラグが"０（ＦＡＬＳＥ）"であるときに実行されてよい。初期設定完了フラグの初期値は"０"である。尚、初期設定完了フラグは、ユーザＳにより初期化が可能であってよい。
【００５０】
心電図測定装置１の無線制御部２２は、希望時間帯及び成功確率を表すテーブル（以下、「時間帯別成功確率テーブル」と称する）を初期化する（ステップＳ６００）。図７は、初期化された状態の時間帯別成功確率テーブルの一例を示す図である。図７では、時間帯別に、測定希望の有無を表す情報、及び、成功確率が示されている。測定希望の有無を表す情報は、○（図示せず）が「希望有り」を表し、×が「希望なし」を表す。測定希望の有無を表す情報の初期値は、例えば「希望なし」である。成功確率の初期値は、例えば「１００」である。
【００５１】
次いで、無線制御部２２は、加速度センサ１９を初期化する（ステップＳ６０２）。次いで、無線制御部２２は、測定中に取るユーザSが取る姿勢に関するユーザSの希望姿勢（以下、「測定希望姿勢」と称する）の取得を心電図モニタデバイス６に要求する（ステップＳ６０４）。
【００５２】
心電図モニタデバイス６は、心電図測定装置１を装着した状態で測定希望姿勢を取り且つ測定希望姿勢で心電図モニタデバイス６の所定ボタンを押すようにユーザＳに促すメッセージを表示部６１に出力する（ステップＳ６０６）。尚、メッセージを表示部６１に出力することに代えて、他の出力（音声出力や光源の点滅等を含む）が用いられてもよい。ユーザＳは、心電図測定装置１を装着した状態で測定希望姿勢を取り、測定希望姿勢で心電図モニタデバイス６の所定ボタン（図示せず）を押す。測定希望姿勢は、基本的に、安静な姿勢であり、例えば着座姿勢やベッド等に横たわる姿勢である。尚、所定ボタンを押すことに代えて、他の操作（音声入力やジェスチャ入力等を含む）が用いられてもよい。心電図モニタデバイス６の所定ボタンが押されると（ステップＳ６０８）、心電図モニタデバイス６は、測定希望姿勢を取っている旨を表す情報を心電図測定装置１に送信する（ステップＳ６１０）。
【００５３】
無線制御部２２は、測定希望姿勢を取っている旨を表す情報を受信すると、加速度センサ１９からの加速度信号を取得し、３軸方向の加速度の各値（ａｘ０，ａｙ０，ａｚ０）を学習情報記憶部２４に記憶する（ステップＳ６１２）。３軸方向の加速度の各値（ａｘ０，ａｙ０，ａｚ０）は、ある一定期間の平均値であってもよいし、ある一定期間中の代表値であってもよい。３軸方向の加速度の各値（ａｘ０，ａｙ０，ａｚ０）は、ユーザＳの姿勢が測定希望姿勢であるか否かを判定するための基準値として機能し、以下では「基準加速度値」と称する。次いで、無線制御部２２は、測定を希望する時間帯の取得を心電図モニタデバイス６に要求する（ステップＳ６１４）。
【００５４】
心電図モニタデバイス６は、測定を希望する時間帯を入力するようにユーザＳに促すメッセージを表示部６１に出力する（ステップＳ６１６）。ユーザＳは、心電図モニタデバイス６の操作部（図示せず）から測定を希望する時間帯を入力する。この際、ユーザＳは、安静な姿勢を積極的に取ることができる可能性が高い時間帯（例えばお昼休みの時間帯）や、安静な姿勢を自然に取っている可能性が高い時間帯（例えば就寝直前の時間帯）を、測定を希望する時間帯として入力することが望ましい。これにより、ユーザＳが安静な姿勢になる確率が高い時間帯での測定が可能となる。測定を希望する時間帯が入力されると（ステップＳ６１８）、心電図モニタデバイス６は、測定を希望する時間帯を心電図測定装置１に送信する（ステップＳ６２０）。
【００５５】
無線制御部２２は、測定を希望する時間帯を受信すると、測定を希望する時間帯が「希望有り」となるように、時間帯別成功確率テーブル（図７参照）を更新する。無線制御部２２は、測定を希望する時間帯に基づいて時間帯別成功確率テーブルを更新すると、初期設定完了フラグの値を"１（ＴＲＵＥ）"にセットする。以下、時間帯別成功確率テーブルにおいて、「希望有り」となる時間帯を「測定希望時間帯」と称する。
【００５６】
尚、図６に示す例では、ユーザＳは測定を希望する時間帯を入力するが、ユーザＳは、測定を希望する時刻を入力してもよい。この場合、希望時刻が属する時間帯が測定希望時間帯として扱われてよい。
【００５７】
図８は、心電図測定装置１による測定処理の一例を示すフローチャートである。図８に示す処理は、例えば、ユーザＳにより心電図測定装置１及び心電図モニタデバイス６の電源が投入され、心電図測定装置１及び心電図モニタデバイス６間の接続が確立され、初期設定完了フラグが"１"であるときに実行されてよい。或いは、図８に示す処理は、ユーザＳからの測定開始指示が心電図モニタデバイス６を介して入力されたときに実行されてもよい。
【００５８】
図８に示す処理では、一例として、リトライフラグ及びリピートフラグが用いられる。リトライフラグ及びリピートフラグは、以下の観点から予め設定される。ある１つの測定希望時間帯において、測定精度に拘らず時間帯全体を通して測定を行いたい場合は、リトライフラグ＝ＴＲＵＥ，リピートフラグ＝ＴＲＵＥに設定される。ある１つの測定希望時間帯において、少なくとも１回、高精度測定ができればよい場合は、リトライフラグ＝ＴＲＵＥ，リピートフラグ＝ＦＡＬＳＥに設定される。ある１つの測定希望時間帯において、初めからできるだけ連続して高精度測定を行いたい場合は（即ち一度でも、低精度測定となった場合はその時点で測定を終了したい場合は）、リトライフラグ＝ＦＡＬＳＥ，リピートフラグ＝ＴＲＵＥに設定される。ある１つの測定希望時間帯において、低精度測定及び高精度測定の如何に拘らず１回だけ測定を行いたい場合は、リトライフラグ＝ＦＡＬＳＥ，リピートフラグ＝ＦＡＬＳＥに設定される。このように、リトライフラグ及びリピートフラグの設定は、測定用途等に依存する。リトライフラグ及びリピートフラグの設定は、ユーザＳにより変更可能とされてもよい。
【００５９】
ステップＳ８０２では、無線制御部２２は、現在時刻を取得する。現在時刻は、例えば心電図測定装置１に内蔵されうる時計やタイマ（共に図示せず）に基づいて取得できる。
【００６０】
ステップＳ８０４では、無線制御部２２は、時間帯別成功確率テーブル（図７参照）を参照し、現在時刻の属する時間帯が測定希望時間帯であるか否かを判定する。現在時刻の属する時間帯が測定希望時間帯であると判定した場合、図８に示す処理はステップＳ８０６に進み、それ以外の場合は、所定時間経過後（例えば１分後）、図８に示す処理はステップＳ８０２から再開する。以下では、現在時刻の属する時間帯を、「今回の時間帯」と称する。
【００６１】
ステップＳ８０６では、無線制御部２２は、時間帯の切り替わりがあったか否かを判定する。時間帯の切り替わりとは、図７に示すような複数の時間帯間における切り替わりである。時間帯の切り替わりがあった場合には、図８に示す処理はステップＳ８０８を経由してステップＳ８１０に進み、それ以外の場合は、図８に示す処理はステップＳ８０８をスキップしてステップＳ８１０に進む。
【００６２】
ステップＳ８０８では、無線制御部２２は、確率計算用変数をゼロに初期化する。確率計算用変数は、高精度測定実行回数と低精度測定実行回数と含む。高精度測定実行回数は、今回の時間帯における高精度測定の実行回数を表し、低精度測定実行回数は、今回の時間帯における低精度測定の実行回数を表す。
【００６３】
ステップＳ８１０では、無線制御部２２は、加速度センサ１９から加速度信号を取得する。
【００６４】
ステップＳ８１２では、無線制御部２２は、取得した加速度信号が所定基準を満たすか否かを判定する。即ち、無線制御部２２は、ユーザＳの姿勢が測定希望姿勢（安静な姿勢）であるか否かを判定する。所定基準は、基準加速度値に基づいて設定される。これにより、ユーザＳの姿勢が測定希望姿勢であるか否かを精度良く判定できる。例えば、無線制御部２２は、取得した加速度信号の３軸方向の各値が基準加速度値に対して所定の誤差範囲内であるか否かを判定する。ユーザＳの姿勢が測定希望姿勢である場合は、図８に示す処理はステップＳ８１４に進み、それ以外の場合は、図８に示す処理はステップＳ８２８に進む。
【００６５】
ステップＳ８１４では、無線制御部２２は、高精度測定実行回数の値を"１"だけインクリメントする。
【００６６】
ステップＳ８１６では、無線制御部２２は、時間帯別成功確率テーブル（図７参照）を参照し、今回の時間帯に係る成功確率を取得する。
【００６７】
ステップＳ８１８では、無線制御部２２は、今回の時間帯に係る成功確率が所定閾値以上であるか否かを判定する。成功確率が所定閾値以上である場合は、図８に示す処理はステップＳ８２０に進み、それ以外の場合は、図８に示す処理はステップＳ８２２に進む。
【００６８】
ステップＳ８２０では、無線制御部２２は、高精度測定（高精度測定モードによる測定）を実行する。高精度測定は、所定の期間（例えば１分）継続して実行されてよい。所定の期間の高精度測定（１回分の高精度測定）が完了すると、図８に示す処理はステップＳ８２４に進む。
【００６９】
ステップＳ８２２では、無線制御部２２は、低精度測定（低精度測定モードによる測定）を実行する。低精度測定は、所定の期間（例えば１分）継続して実行されてよい。所定の期間の低精度測定（１回分の低精度測定）が完了すると、図８に示す処理はステップＳ８２４に進む。
【００７０】
ステップＳ８２４では、無線制御部２２は、今回の時間帯が満了したか否かを判定する。例えば、今回の時間帯が"１３：００〜１３：１０"であるとき、１３：１０に今回の時間帯が満了することになる。今回の時間帯が満了した場合は、図８に示す処理はステップＳ８３６に進み、それ以外の場合は、図８に示す処理はステップＳ８２６に進む。
【００７１】
ステップＳ８２６では、無線制御部２２は、リピートフラグをチェックする。リピートフラグが"ＴＲＵＥ"の場合は、図８に示す処理はステップＳ８１０に戻り、新たな測定が繰り返される。他方、リピートフラグが"ＦＡＬＳＥ"の場合は、図８に示す処理はステップＳ８３６に進む。
【００７２】
ステップＳ８２８では、無線制御部２２は、低精度測定実行回数の値を"１"だけインクリメントする。
【００７３】
ステップＳ８３０では、無線制御部２２は、低精度測定（低精度測定モードによる測定）を実行する。低精度測定は、所定の期間（例えば１分）継続して実行されてよい。所定の期間の低精度測定（１回分の低精度測定）が完了すると、図８に示す処理はステップＳ８３２に進む。
【００７４】
ステップＳ８３２では、無線制御部２２は、今回の時間帯が満了したか否かを判定する。今回の時間帯が満了した場合は、図８に示す処理はステップＳ８３６に進み、それ以外の場合は、図８に示す処理はステップＳ８３４に進む。
【００７５】
ステップＳ８３４では、無線制御部２２は、リトライフラグをチェックする。リトライフラグが"ＴＲＵＥ"の場合は、図８に示す処理はステップＳ８１０に戻り、新たに高精度測定が試みられる。他方、リトライフラグが"ＦＡＬＳＥ"の場合は、ステップＳ８３６に進む。
【００７６】
ステップＳ８３６では、無線制御部２２は、高精度測定実行回数及び低精度測定実行回数の各値と、リピートフラグ及びリトライフラグの各状態とに基づいて、今回の時間帯における成功確率を算出する。図９は、ステップＳ８３６における成功確率の算出方法の説明図である。図９では、１２：００〜１２：５０までの１０分ごとの５つの時間帯Ｔ１〜Ｔ５が示されている。図９では、１回の測定（区間）は１分であり、全ての時間帯Ｔ１〜Ｔ５が測定希望時間帯であり、全ての時間帯Ｔ１〜Ｔ５に係る成功確率が所定閾値以上であるものとする。図９において、加速度の各区間は、一分毎の各測定期間に対応付けて区分されており、区間内の"○"は、該測定期間における加速度信号が所定基準を満たすことを意味し、区間内の"×"は、該測定期間における加速度信号が所定基準を満たさないことを意味する。また、図９において、心電測定の各区切りは、１回分の各測定に対応付けて区分されており、区間内の"高"は、高精度測定が実行されたことを意味し、区間内の"低"は、低精度測定が実行されたことを意味する。
【００７７】
リトライフラグ＝ＴＲＵＥ及びリピートフラグ＝ＴＲＵＥである場合、今回の時間帯における成功確率Ｐｓは、以下の通りであってよい。
Ｐｓ＝Ｎ１／（Ｎ１＋Ｎ２）
ここで、Ｎ１は、高精度測定実行回数の値であり、Ｎ２は、低精度測定実行回数の値である。図９において、１２：００〜１２：１０の時間帯Ｔ１では、リトライフラグ＝ＴＲＵＥ及びリピートフラグ＝ＴＲＵＥであり、１０回の測定が実行され、Ｎ１＝６、Ｎ２＝４である。この場合、Ｐｓ＝６０（＝６／１０×１００）［％］となる。
【００７８】
他方、リトライフラグ＝ＴＲＵＥ及びリピートフラグ＝ＴＲＵＥ以外の場合（即ちリトライフラグ＝ＴＲＵＥでなく又はリピートフラグ＝ＴＲＵＥでない場合）は、今回の時間帯における成功確率Ｐｓは、高精度測定実行回数の値に依存し、以下の通りであってよい。
Ｐｓ＝１００（Ｎ１≧１）
Ｐｓ＝０（Ｎ１＝０）
図９において、１２：１０〜１２：２０の時間帯Ｔ２では、リトライフラグ＝ＴＲＵＥ及びリピートフラグ＝ＦＡＬＳＥであり、４回目の測定で高精度測定が実現できている。この場合、Ｐｓ＝１００［％］となる。また、１２：２０〜１２：３０の時間帯Ｔ３では、リトライフラグ＝ＦＡＬＳＥ及びリピートフラグ＝ＴＲＵＥであり、初回から３回目の測定まで高精度測定を連続的に実現できている。この場合、Ｐｓ＝１００［％］となる。また、１２：３０〜１２：４０の時間帯Ｔ４では、リトライフラグ＝ＦＡＬＳＥ及びリピートフラグ＝ＦＡＬＳＥであり、１回目の測定が高精度測定である。この場合、Ｐｓ＝１００［％］となる。また、１２：４０〜１２：５０の時間帯Ｔ５では、リトライフラグ＝ＦＡＬＳＥ及びリピートフラグ＝ＦＡＬＳＥであり、１回目の測定が低精度測定である。この場合、Ｐｓ＝０［％］となる。
【００７９】
ステップＳ８３８では、無線制御部２２は、ステップＳ８３６で算出した今回の時間帯における成功確率Ｐｓに基づいて、時間帯別成功確率テーブルを更新する。例えば、無線制御部２２は、ステップＳ８３６で算出した今回の時間帯における成功確率Ｐｓで、時間帯別成功確率テーブル内の同時間帯における成功確率を上書きしてもよい。或いは、無線制御部２２は、ステップＳ８３６で算出した今回の時間帯における成功確率Ｐｓと、直近の所定日数分の同時間帯における各成功確率とを平均することで、時間帯別成功確率テーブル内の同時間帯における成功確率を更新してもよい。図１０では、Ｎ日分の成功確率が記憶されたテーブルが示されている。この場合、時間帯別の成功確率は、時間帯毎に、Ｎ日分の成功確率を平均することで算出される。例えば、１３：００〜１３：１０の時間帯に係る成功確率は、同時間帯におけるＮ日分の各成功確率（Ａ，Ｂ，・・・，Ｃ）を平均することで算出される。ステップＳ８３８の処理が終了すると、図８に示す処理はステップＳ８０２に戻る。
【００８０】
尚、図８に示す例では、測定用途の変更等に機動的に対応できるようにリピートフラグ及びリトライフラグが用いられているが、いずれか一方又は双方が省略されてもよい（以下、このような変形例を「第３変形例」と称する）。例えば、リトライフラグ＝ＴＲＵＥ及びリピートフラグ＝ＴＲＵＥで固定してもよい場合は、ステップＳ８２６、ステップＳ８３４の判定は省略されてもよい。
【００８１】
また、図８に示す例では、ステップS８１８において学習情報に基づいてユーザＳの安静な姿勢が持続する可能性を判断しているが、かかる学習情報を用いないこととしてもよい（以下、このような変形例を「第４変形例」と称する）。この場合、図８において、ステップS８０８、ステップS８１４、ステップS８１６、ステップS８１８、ステップS８２２、ステップS８２８、ステップS８３６、ステップS８３８が無くされてよい。そして、図８において、ステップS８１２において判定結果が"YES"の場合は、図８に示す処理はステップS８２０に進むこととしてよい。第４変形例では、実質的に、測定を開始する際の加速度信号のみに基づいて、高精度測定モード及び高精度測定モード間で測定モードを切り替えることになる。第４変形例は、上述した実施例１のように共通の生体センサで２種類の生体信号（即ち母の心電図及び胎児の心電図）を測定し、且つ、１回の測定期間が比較的短い場合に好適である。
【００８２】
また、図８に示す例では、ステップS８０４において現在時刻の属する時間帯が測定希望時間帯であるか否かを判定しているが、かかる判定は省略されてもよい（以下、このような変形例を「第５変形例」と称する）。第５変形例では、図６に示す初期設定処理において、ステップＳ６１４乃至ステップＳ６２２は省略されてよい。
【００８３】
また、図８に示す例では、ステップS８１８の判定は、測定を開始する際のみ実行されているが、測定開始後の測定中にも継続して実行されてもよい（以下、このような変形例を「第６変形例」と称する）。即ち、上述の測定中学習情報が生成されてもよい。第６変形例では、ステップS８１４を省略し、その代わりに、ステップS８２０による測定中にステップS８１２の判定を繰り返し実行する。そして、ステップS８２０による１回の測定中におけるステップS８１２の判定結果が"YES"となる回数又は比率が所定閾値以上である場合、高精度測定実行回数の値を"１"だけインクリメントされてよい。
【００８４】
尚、これらの第３変形例乃至第６変形例は、任意の態様で組み合わせることができる。
【００８５】
図１１は、心電図モニタデバイス６の無線制御装置２１のハードウェア構成の一例を示す図である。図１１に示す例では、無線制御装置２１は、制御部１０１、主記憶部１０２、補助記憶部１０３、ドライブ装置１０４、ネットワークＩ／Ｆ部１０６、入力部１０７を含む。
【００８６】
制御部１０１は、主記憶部１０２や補助記憶部１０３に記憶されたプログラムを実行する演算装置であり、入力部１０７や記憶装置からデータを受け取り、演算、加工した上で、記憶装置などに出力する。
【００８７】
主記憶部１０２は、ＲＯＭ（Read Only Memory）やＲＡＭ（Random Access Memory）などである。主記憶部１０２は、制御部１０１が実行する基本ソフトウェアであるＯＳ（Operating System）やアプリケーションソフトウェアなどのプログラムやデータを記憶又は一時保存する記憶装置である。
【００８８】
補助記憶部１０３は、フラッシュメモリやＨＤＤ（Hard Disk Drive）などであり、アプリケーションソフトウェアなどに関連するデータを記憶する記憶装置である。補助記憶部１０３は、上述した学習情報記憶部２４を形成してよい。
【００８９】
ドライブ装置１０４は、記録媒体１０５、例えばフレキシブルディスクからプログラムを読み出し、記憶装置にインストールする。
【００９０】
記録媒体１０５は、所定のプログラムを格納する。この記録媒体１０５に格納されたプログラムは、ドライブ装置１０４を介して無線制御装置２１にインストールされる。インストールされた所定のプログラムは、無線制御装置２１により実行可能となる。
【００９１】
ネットワークＩ／Ｆ部１０６は、有線及び／又は無線回線などのデータ伝送路により構築されたネットワークを介して接続された通信機能を有する周辺機器（例えばセンサモジュール１０や無線送受信部２６）と無線制御装置２１とのインターフェースである。
【００９２】
入力部１０７は、カーソルキー、数字入力及び各種機能キー等を備えたキーボード、マウスやタッチパッド等を有する。
【００９３】
尚、図１１に示す例において、上述した無線制御部２２の各種処理等は、プログラムを無線制御装置２１に実行させることで実現することができる。また、プログラムを記録媒体１０５に記録し、このプログラムが記録された記録媒体１０５を無線制御装置２１に読み取らせて、上述した無線制御部２２の各種処理等を実現させることも可能である。なお、記録媒体１０５は、様々なタイプの記録媒体を用いることができる。例えば、記録媒体１０５は、ＣＤ(Compact Disc)−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等であってよい。なお、記録媒体１０５には、搬送波は含まれない。
【００９４】
［実施例２］
図１２は、実施例２による心電図測定装置１Ａ（測定装置の一例）の構成例を示す図である。以下の実施例２において、上述した実施例１で説明した構成要素と同一であってよい構成要素については図１２において同一の参照符号を付して説明を省略する。
【００９５】
上述した実施例１では、高性能ＡＤＣ１６及び低性能ＡＤＣ１８を切り替えることで心電センサ１２の測定データの精度を変化させているが、以下の実施例２では、上述した実施例１とは異なる態様で心電センサ１２の測定データの精度を変化させる。具体的には、以下で詳説するが、実施例２では、無線通信モジュール２０Ａにおいて心電センサ１２の測定データの精度が変化される。
【００９６】
心電図測定装置１Ａは、センサモジュール１０Ａと、無線通信モジュール２０Ａとを含む。
【００９７】
センサモジュール１０Ａは、上述した実施例１によるセンサモジュール１０に対して、スイッチ１４及び低性能ＡＤＣ１８が省略された点が異なる。心電センサ１２からのアナログ形式の心電信号は、高性能ＡＤＣ１６に入力される。高性能ＡＤＣ１６は、アナログ形式の心電信号をデジタル形式の心電信号に変換する。そして、高性能ＡＤＣ１６は、デジタル形式の心電信号をシリアル通信により無線制御部２２Ａに出力する。
【００９８】
無線通信モジュール２０Ａは、上述した実施例１による無線通信モジュール２０に対して、無線制御装置２１が無線制御装置２１Ａで置換された点が異なる。無線制御装置２１Ａは、上述した実施例１による無線制御装置２１に対して、スイッチ２８が省略され、且つ、無線制御部２２が無線制御部２２Ａ（処理部の一例）で置換された点が異なる。
【００９９】
無線制御部２２Ａは、上述した実施例１と同様、加速度センサ１９からの加速度信号に基づいて、ユーザＳの姿勢を判断する。そして、無線制御部２２Ａは、ユーザＳの姿勢に基づいて、心電センサ１２の測定データの精度を変化させる。具体的には、無線制御部２２Ａは、高性能ＡＤＣ１６から得られる心電信号に対して間引き処理を行うことで、心電センサ１２の測定データの精度を低下させる。間引き処理は、例えば、心電信号の分解能を低減すること、及び、心電信号を再サンプリングすることの少なくともいずれか一方により実現されてよい。無線制御部２２Ａは、このようにして姿勢に応じて精度を変化させた測定データを、無線送受信部２６に送信する。
【０１００】
無線制御部２２Ａは、上述した実施例１と同様、好ましくは、ユーザＳの姿勢に加えて、所定の時間帯におけるユーザＳの姿勢に関する学習情報に基づいて、心電センサ１２の測定データの精度を変化させる。これにより、上述のように、高精度測定の実行機会の増加と電力消費の効率化との両立を図ることができる。
【０１０１】
このように、実施例２においては、上述した実施例１における「高精度測定」は、無線制御部２２Ａが間引き処理を実行しないことで実現され、「低精度測定」は、無線制御部２２Ａが間引き処理を実行することで実現される。
【０１０２】
図１３は、高精度測定時における心電センサ１２等における消費電力の時系列を模式的に示す図であり、図１４は、低精度測定時における心電センサ１２等における消費電力の時系列を模式的に示す図である。
【０１０３】
図１３及び図１４に示す例では、８０ｍｓの測定期間において、高性能ＡＤＣ１６において心電信号が１６サンプル×２４ビット（３バイト）でデジタル化される。
【０１０４】
高精度測定時（図１３）では、高性能ＡＤＣ１６からの心電信号は無線制御部２２Ａにおいて間引き処理を受けない。このため、高性能ＡＤＣ１６からの心電信号に基づく測定データは３パケットで送信される。これに対して、低精度測定時（図１４）では、高性能ＡＤＣ１６からの心電信号は無線制御部２２Ａにおいて間引き処理を受ける。例えば、１００Ｈｚで再サンプリングする間引き処理が実行される場合、パケット数は、３から１．５（≒２）へと低減される。また、例えば、１６ビットの精度に切り落とす間引き処理が実行される場合、パケット数は、３から２へと低減される。このように、無線送受信部２６においては、高精度測定時では、低精度測定時よりも送信するパケット数が多い分だけ消費電力も大きくなる。
【０１０５】
実施例１において図６乃至図１０を参照して上述した動作例（上述した第３変形例乃至第６変形例を含む）は、実施例２においても同様に適用される。但し、上述したように、実施例２においては、上述した実施例１における「高精度測定モード」は、間引き処理を実行しないモードに対応し、「低精度測定モード」は、間引き処理を実行するモードに対応する。
【０１０６】
実施例２によっても、上述した実施例１と同様の効果が得られる。実施例２によれば、上述した実施例１と比較して、図２及び図１２を対比すると分かるように、ハードウェア構成を簡素化できる。尚、実施例２においても、上述した実施例１における第１変形例及び第２変形例のような変形例が可能である。尚、実施例２において、第１変形例による測定の禁止は、実質的に、心電センサ１２の測定値のサンプリング周波数を、１つの時間帯に対応する周波数よりも小さくしたことに等価となる。或いは、実施例２において、第１変形例による測定の禁止は、実質的に、心電センサ１２の測定値の分解能を０ビットに低減したことに等価となる。
【０１０７】
［実施例３］
図１５は、実施例２による心電図測定装置１Ｂ（測定装置の一例）の構成例を示す図である。心電図測定装置１Ｂは、センサモジュール１０Ｂと、無線通信モジュール２０Ｂとを含む。
【０１０８】
センサモジュール１０Ｂは、上述した実施例１によるセンサモジュール１０に対して、スイッチ１４、高性能ＡＤＣ１６、及び低性能ＡＤＣ１８が、マイクロコンピューター１３で置換された点が異なる。マイクロコンピューター１３は、以下、「センサマイコン１３」と称する。センサマイコン１３は、演算回路及びメモリ１３１と、ＡＤＣ１３２（以下、「ＡＤＣ１３２」と称する）と、通信部１３３，１３４と、制御部１３５（処理部の一例）とを含む。
【０１０９】
演算回路及びメモリ１３１の記憶部は、上述した学習情報を記憶する学習情報記憶部２４を実現する。
【０１１０】
ＡＤＣ１３２は、上述した高性能ＡＤＣ１６と同様の構成であってよい。ＡＤＣ１３２は、デジタル形式に変換した心電信号を制御部１３５に与える。
【０１１１】
通信部１３３は、加速度センサ１９からシリアル通信により加速度信号を取得し、取得した加速度信号を制御部１３５に与える。
【０１１２】
通信部１３４は、制御部１３５等から得たデータを無線通信モジュール２０Ｂにシリアル通信で送信する。
【０１１３】
制御部１３５は、上述した実施例２における無線制御部２２Ａと同様の機能を実現する。即ち、制御部１３５は、加速度センサ１９からの加速度信号に基づいて、ユーザＳの姿勢を判断する。そして、制御部１３５は、ユーザＳの姿勢に基づいて、間引き処理により心電センサ１２の測定データの精度を変化させる。同様に、制御部１３５は、好ましくは、ユーザＳの姿勢に加えて、所定の時間帯（複数も可）におけるユーザＳの姿勢に関する学習情報に基づいて、心電センサ１２の測定データの精度を変化させる。
【０１１４】
このように、実施例３においては、上述した実施例１における「高精度測定」は、制御部１３５が間引き処理を実行しないことで実現され、「低精度測定」は、制御部１３５が間引き処理を実行することで実現される。
【０１１５】
無線通信モジュール２０Ｂは、上述した実施例１による無線通信モジュール２０に対して、無線制御装置２１が無線制御装置２１Ｂで置換された点が異なる。無線制御装置２１Ｂは、上述した実施例１による無線制御装置２１に対して、スイッチ２８及び学習情報記憶部２４が無くなり、且つ、無線制御部２２が無線制御部２２Ｂで置換された点が異なる。
【０１１６】
無線制御部２２Ｂは、センサモジュール１０Ｂから得た心電センサ１２の測定データを無線送受信部２６に送信する。
【０１１７】
尚、実施例１において図６乃至図１０を参照して上述した動作例（上述した第３変形例乃至第６変形例を含む）は、実施例３においても同様に適用される。但し、上述したように、実施例３においては、上述した実施例１における「高精度測定モード」は、間引き処理を実行しないモードに対応し、「低精度測定モード」は、間引き処理を実行するモードに対応する。
【０１１８】
実施例３によっても、上述した実施例１と同様の効果が得られる。実施例３によれば、センサマイコン１３を備えるので、上述した実施例１と比較して、無線制御部２２の処理負荷を低減できる。尚、実施例３においても、上述した実施例１における第１変形例及び第２変形例のような変形例が可能である。尚、実施例３において、第１変形例による測定の禁止は、実質的に、心電センサ１２の測定値のサンプリング周波数を、１つの時間帯に対応する周波数よりも小さくしたことに等価となる。或いは、実施例３において、第１変形例による測定の禁止は、実質的に、心電センサ１２の測定値の分解能を０ビットに低減したことに等価となる。
【０１１９】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【０１２０】
例えば、上述した実施例１〜３では、心電図が測定対象の生体信号であるが、他の生体信号（例えば胃電図、筋電図、または脈波等）が測定対象とされてもよい。また、測定された生体信号に基づいて、各種の生体情報（例えば心拍や脈拍等）が取得されてもよい。
【０１２１】
また、上述した実施例１〜３では、加速度センサ１９がユーザＳの姿勢を検出するために用いられているが、加速度センサ１９に代えて又は加速度センサ１９に加えて、他のセンサ（例えばジャイロセンサや画像センサ等）が用いられてもよい。例えば、画像センサを用いる場合は、複数フレームの画像に基づいて画像認識によりユーザＳが安静な姿勢であるか否かを判断できる。
【０１２２】
また、上述した実施例１〜３では、学習情報記憶部２４内の学習情報は稼働中に生成（更新）されているが、学習情報記憶部２４内の学習情報は、事前に生成された情報として外部から取得されてもよい。
【符号の説明】
【０１２３】
１、１Ａ、１Ｂ  心電図測定装置
６  心電図モニタデバイス
１０、１０Ａ、１０Ｂ  センサモジュール
１２  心電センサ
１３  センサマイコン
１４  スイッチ
１６  高性能アナログデジタル変換部
１８  低性能アナログデジタル変換部
１９  加速度センサ
２０、２０Ａ、２０Ｂ  無線通信モジュール
２１、２１Ａ、２１Ｂ  無線制御装置
２２、２２Ａ、２２Ｂ  無線制御部
２４  学習情報記憶部
２６  無線送受信部
２６ａ  アンテナ
２８  スイッチ
１００  心電図モニタシステム
１３２  アナログデジタル変換部
１３３  通信部
１３４  通信部
１３５  制御部
【図１】
2017145363.tif 000003
【図２】
2017145363.tif 000004
【図３】
2017145363.tif 000005
【図４】
2017145363.tif 000006
【図５】
2017145363.tif 000007
【図６】
2017145363.tif 000008
【図７】
2017145363.tif 000009
【図８】
2017145363.tif 000010
【図９】
2017145363.tif 000011
【図１０】
2017145363.tif 000012
【図１１】
2017145363.tif 000013
【図１２】
2017145363.tif 000014
【図１３】
2017145363.tif 000015
【図１４】
2017145363.tif 000016
【図１５】
2017145363.tif 000017
【国際調査報告】
2017145363.tif 000018
2017145363.tif 000019